(57)【要約】【課題】被搬送物を１個ずつ確実に搬送できると共に、電気配線や空気配管が不要で、棚の移動やレイアウト変更が容易な流動棚を提案する。【解決手段】傾斜棚上を搬送される物品を係止するため第１のストッパーと第２のストッパーが設けられ、連結杆の中央にはこの連結杆を回動自在に支持する枢支部が設けられ、この連結杆を回動させる連携索の端部が連結杆に当接され、流動棚の最下部に設けられた物品貯留部に物品を制止する物品止めが設けられ、この物品止めが弾発可動となされ、この物品止めに連携索の他端部が物品に当接するように設けられ、物品が物品貯留部から除去されたとき連携索の端部を押圧することにより前記ストップ装置の連結杆を回動させ、第１のストッパーを解除すると共に第２のストッパーを働かせるようになされたもので、物品の重量によりストッパーを作動させるので電気や圧縮空気などの動力源が不要である。【選択図】        図１
2005298131.tif 000002
【特許請求の範囲】
【請求項１】
適宜間隔をおいて立設された支柱間に滑動手段が設けられた傾斜棚が設けられ、この傾斜棚上を搬送される物品を係止するためのストップ装置が設けられ、このストップ装置は連結杆の両端に第１のストッパーと第２のストッパーが設けられ、連結杆の中央にはこの連結杆を回動自在に支持する枢支部が設けられ、この連結杆を回動させる連携索の端部が連結杆に当接され、流動棚の最下部に設けられた物品貯留部に物品を制止する物品止めが設けられ、この物品止めが弾発可動となされ、この物品止めに連携索の他端部が物品に当接するように設けられ、物品が物品貯留部から除去されたとき連携索の端部を押圧することにより前記ストップ装置の連結杆を回動させ、第１のストッパーを解除すると共に第２のストッパーを働かせるようになされたことを特徴とする流動棚。
【請求項２】
上下に複数の傾斜棚が設けられ、この上下の傾斜棚を結ぶ位置に少なくとも１個の物品を載置可能な可動棚が設けられ、この可動棚は上下方向傾動自在に設けられ、この可動棚が弾発装置により支持されたことを特徴とする請求項１記載の流動棚。
【発明の詳細な説明】
【技術分野】
【０００１】
本発明は、流動棚に関し、特に物品を１個ずつ順に重力作用で搬送できるようになされた流動棚に関する。
【背景技術】
【０００２】
【特許文献１】実開平７−２３７１３号公報  従来、上述したような重力作用により物品を搬送する棚が知られていた。例えば実開平７−２３７１３号公報には被搬送物がその重力作用により滑走する勾配で複数の流動棚が上下にくの字形に連続する形に設置された重力式流動棚装置において、前記流動棚の前記くの字形部分をその交点の位置から少なくとも１個の被搬送物を載置可能な長さ範囲までを分断したに等しい１個の可動棚が前記交点を中心として上下方向の傾動が自在に設置され、前記可動棚を傾動させる駆動手段が設けられていること、前記可動棚の枠内に、被搬送物を載置可能な大きさであり、しかも前記可動棚とは独立して傾動可能な大きさとされ、先端部に被搬送物の行止りを備えた内枠が、前記交点を中心として上下方向の傾動が自在に設置され、この内枠を傾動させる駆動手段が設置されていること、を特徴とする重力式流動棚装置が提案されている。  又、手摺部材の被覆材に筒状の接続具を被せ、被覆材と接続具を粘着剤などの接着剤で接着するという方法が知られている。
【発明の開示】
【発明が解決しようとする課題】
【０００３】
しかしながら上記の如き実開平７−２３７１３号公報に提案されている重力式流動棚装置においては、センサーの検出信号に基づいて駆動手段によりストッパが制御されるので、被搬送物が不用意に滑り落ちることが無く、適宜搬送されるが。駆動手段として実開平７−２３７１３に提案されている空圧シリンダーを用いれば、重力式流動棚に電気配線と空気配管が必要となり、流動棚の移動などのレイアウト変更がし難いという問題があった。
【０００４】
そこで本発明者は従来の欠点に鑑み鋭意研究の結果、被搬送物を１個ずつ確実に搬送できると共に、電気配線や空気配管が不要で、棚の移動やレイアウト変更が容易な流動棚を提案するものである。
【課題を解決するための手段】
【０００５】
本発明請求項１記載の流動棚は、適宜間隔をおいて立設された支柱間に滑動手段が設けられた傾斜棚が設けられ、この傾斜棚上を搬送される物品を係止するためのストップ装置が設けられ、このストップ装置は連結杆の両端に第１のストッパーと第２のストッパーが設けられ、連結杆の中央にはこの連結杆を回動自在に支持する枢支部が設けられ、この連結杆を回動させる連携索の端部が連結杆に当接され、流動棚の最下部に設けられた物品貯留部に物品を制止する物品止めが設けられ、この物品止めが弾発可動となされ、この物品止めに連携索の他端部が物品に当接するように設けられ、物品が物品貯留部から除去されたとき連携索の端部を押圧することにより前記ストップ装置の連結杆を回動させ、第１のストッパーを解除すると共に第２のストッパーを働かせるようになされたもので、物品の重量によりストッパーを作動させるので電気や圧縮空気などの動力源が不要である。
【０００６】
本発明請求項２記載の流動棚は、上下に複数の傾斜棚が設けられ、この上下の傾斜棚を結ぶ位置に少なくとも１個の物品を載置可能な可動棚が設けられ、この可動棚は上下方向傾動自在に設けられ、この可動棚が弾発装置により支持されたもので、上の傾斜棚上の物品が可動棚を経由して下の傾斜棚に搬送される。
【発明の効果】
【０００７】
上述の如く、本発明請求項１記載の流動棚は、適宜間隔をおいて立設された支柱間に滑動手段が設けられた傾斜棚が設けられ、この傾斜棚上を搬送される物品を係止するためのストップ装置が設けられ、このストップ装置は連結杆の両端に第１のストッパーと第２のストッパーが設けられ、連結杆の中央にはこの連結杆を回動自在に支持する枢支部が設けられ、この連結杆を回動させる連携索の端部が連結杆に当接され、流動棚の最下部に設けられた物品貯留部に物品を制止する物品止めが設けられ、この物品止めが弾発可動となされ、この物品止めに連携索の他端部が物品に当接するように設けられ、物品が物品貯留部から除去されたとき連携索の端部を押圧することにより前記ストップ装置の連結杆を回動させ、第１のストッパーを解除すると共に第２のストッパーを働かせるようになされたもので、物品の重量によりストッパーを作動させるので電気や圧縮空気などの動力源が不要であり被搬送物を１個ずつ確実に搬送できると共に、電気配線や空気配管が不要で、棚の移動やレイアウト変更が容易である。
【０００８】
又、本発明請求項２記載の流動棚は、上下に複数の傾斜棚が設けられ、この上下の傾斜棚を結ぶ位置に少なくとも１個の物品を載置可能な可動棚が設けられ、この可動棚は上下方向傾動自在に設けられ、この可動棚が弾発装置により支持されたもので、上の傾斜棚上の物品が可動棚を経由して下の傾斜棚に搬送されるので、多数の物品を貯留することができる。
【発明を実施するための最良の形態】
【０００９】
以下、図面を参照しながら本発明に付いて説明する。
図１は本発明流動棚の実施形態の一例を示す斜視図である。図に於いて、支柱１が適宜間隔で立設され、この支柱１間に亘って傾斜棚２が上下２段設けられている。傾斜棚２の上には物品ａが載置され順次搬送されるようになされている。傾斜棚２は上段が左下がりの傾斜棚２であり、下段が右下がりの傾斜棚２となされている。上段の傾斜棚２と下段の傾斜棚２の交点には可動棚６が設けられ、上段の傾斜棚２に載置された物品ａが下段の傾斜棚２に搬送されるようになされている。
【００１０】
上段の傾斜棚２の下端には図２に示すようなストップ装置３が設けられており、リンクレバーの先端が連携索４の先端に押圧されて連結杆３３が回動し第１のストッパー３１と第２のストッパー３２が交互に上下するようになされている。連携索４のもう一方の端部は図５に示すように下段の傾斜棚２の下端に設けられた物品止め５に取着されている。物品止め５にはスプリングなどの弾発装置が設けられて物品ａが棚から除去されると前方へ動くようになされている。物品止め５が前方へ動くと連携索４の端部が押され、ストップ装置３の連結杆３３が回動される。
【００１１】
図３は本発明における可動棚の１例を示す正面図であり、図に於いて可動棚６はエアーダンパー６１などの弾発装置で下から支えられており、上段の傾斜棚２の物品ａが滑り降りて可動棚６の上に載ったときその重量で左の端部を起点として下へ回動傾斜するようになされている。図４は本発明流動棚の上に載置された物品ａの移動の状態を説明する説明図である。図に於いて、可動棚６が下へ回動傾斜すると可動棚６に載っている物品ａが右方向へ滑り降り、物品ａが下段の傾斜棚２に移動すると可動棚６は弾発装置の弾発力に支持されて上へ回動し元の位置に戻る。
【００１２】
本発明流動棚に於ける連携索４としては自転車などのブレーキケーブルのように耐圧縮性の高いケーブルに鋼撚糸などの高張力線材が挿通されたものが好適に用いられる。又、本発明に於ける傾斜棚２としては、図示したようなローラーコンベアが用いられてもよいし、断面略コ字型の型材に多数のコマを回動自在に配設した簡易なレールを複数本配設して傾斜棚２としてもよい。又、表面抵抗の少ない杆体を複数配設してその上を物品ａが滑るようにしたものでもよい。
【図面の簡単な説明】
【００１３】
【図１】本発明流動棚の実施形態の一例を示す斜視図である。
【図２】本発明に於けるストップ装置の一例を示す説明図である。
【図３】本発明における可動棚の１例を示す正面図である。
【図４】本発明流動棚の上に載置された物品の移動の状態を説明する説明図である。
【図５】本発明に於ける物品止めの一例を示す説明図である。
【符号の説明】
【００１４】
１    支柱
２    傾斜棚
３    ストップ装置
３１  第１のストッパー
３２  第２のストッパー
３３  連結杆
４    連携索
５    物品止め
６    可動棚
６１  エアダンパー
ａ    物品
【図１】
2005298131.tif 000003
【図２】
2005298131.tif 000004
【図３】
2005298131.tif 000005
【図４】
2005298131.tif 000006
【図５】
2005298131.tif 000007